(57)【特許請求の範囲】
【請求項１】
上面と、下面と、第１端と、第２端と、を有する上張りを有し、前記第１端は、使用者に取り付けるために、ほぼ使用者の指爪又は足指爪の少なくとも端の形状及び寸法に近い形状及び寸法を有し、前記上面は凹部を有し、
前記上張りに密閉ポケットを形成するために、前記凹部の上で前記上張りの前記上面に固定されるカバーと、
前記上張りの前記ポケットに収容される少なくとも一つの装飾要素と、を有する指爪又は足指爪用装飾付属品。
【請求項２】
前記カバーが透明である、請求項１に記載の装飾付属品。
【請求項３】
前記少なくとも一つの装飾要素が、前記上張りの前記ポケット内で自由に移動できる、請求項１に記載の装飾付属品。
【請求項４】
前記少なくとも一つの装飾要素が、金属粉、光沢材、色紙片、天然宝石、及び人工宝石、を有する群から選択される、請求項１に記載の装飾付属品。
【請求項５】
前記凹部が、前記上張りの前記下面を貫き、前記装飾付属品が、下カバーをさらに有し、該下カバーは、密閉ポケットを前記上張りに形成するため、前記凹部の上で前記上張りの前記下面に固定される、請求項１に記載の装飾付属品。
【請求項６】
前記上張りが、アクリロニトリルブタジエンスチレン（ＡＢＳ）プラスチックとポリカーボネートとの混合物で作られる、請求項１に記載の装飾付属品。
【請求項７】
前記上張りの第１端が、ほぼ使用者の指爪の外端の形状及び寸法を有する、請求項１に記載の装飾付属品。
【請求項８】
前記上張りの前記第１端が、ほぼ使用者の指爪全体の形状及び寸法を有する、請求項１に記載の装飾付属品。
【請求項９】
指爪又は足指爪を装飾する方法であって、
上面に凹部を有する上張りを使用者の生指爪又は生足指爪に取り付ける段階と
、
少なくとも一つの装飾要素を前記凹部内に挿入する段階と、
カバーを前記凹部の上で前記上張りの前記上面に接着して、前記少なくとも一つの装飾要素を収容するための密閉ポケットを形成する段階と、
からなる、指爪又は足指爪を装飾する方法。
【請求項１０】
前記カバーが透明である、請求項９に記載の方法。
【請求項１１】
前記少なくとも一つの装飾要素が、前記上張りの前記ポケット内で自由に移動できる、請求項９に記載の方法。
【請求項１２】
前記少なくとも一つの装飾要素が、金属粉、光沢材、色紙片、天然宝石、及び人工宝石、を有する群から選択される、請求項９に記載の方法。
【請求項１３】
使用者の生指爪又は生足指爪に取り付けられるように形成され且つ寸法決めされた一揃いの上張りを有し、前記上張りの各々が上面に凹部を有し、
密閉ポケットを前記上張りに形成するために、前記凹部の上で前記上張りの前記上面に接着されるように形成され、寸法決めされた、複数のカバーと、
前記上張りに形成された前記密閉ポケットに収容されるように寸法決めされた、一揃いの装飾要素と、
を有する、指爪又は足指爪を装飾するためのキット。
【請求項１４】
前記カバーが透明である、請求項１３に記載のキット。
【請求項１５】
前記装飾要素が、前記上張りの前記ポケット内で自由に移動できるように寸法決めされた、請求項１３に記載のキット。
【請求項１６】
前記装飾要素が、金属粉、光沢材、色紙片、天然宝石、及び人工宝石、を有する群から選択される、請求項１３に記載のキット。
【発明の詳細な説明】
【０００１】
【発明の属する技術分野】
本発明は、指爪又は足指爪用の装飾付属品の技術、特に、１つ又は２つ以上の装飾要素を収容するための密閉ポケットを有する人工指爪に関する。
【０００２】
【従来の技術】
ほぼ指爪の形状に製造された、薄い、成形プラスチック部材で作られた装飾用の指爪付属品を提供することは、手を装飾する技術において周知である。実際に、非常に多くの人工指爪製造によって、指爪付属品における材料、配置、及び色彩の種々の組み合わせが行われている。このような人工指爪付属品によって、使用者は今や、生指爪に簡単に取り付けてその後簡単に取り外す指爪を、予め複雑にデザインすることができる。
【０００３】
例えば、キャロルの米国特許第５６９９８１３号は、上面が象眼で成形されたフルカバーの人工指爪を開示している。製品全体は、フランス製の指爪のスタイルをまねるように色付けされていて、明るい色の表皮と、先端部分と、暗い色の中央部分と、を有する。
【０００４】
マストらの米国特許第４７５１９３５号は、爪の前部分と甘皮部分との間の本来現れている差異を得るのに模様付粗面をなす光緩和手段を含む、ポリマープラスチックの人工指爪又はチップを開示している。
【０００５】
オルシニの米国特許第４９７４６１０号は、１回につき一式１０個の人工指爪にわたる、人工指爪一式を作る方法を開示している。像は半硬質層フィルムに写真のように印刷され、透明プラスチックフィルム層が写真フィルム層上に貼り合わされている。
【０００６】
シェバハチらの米国特許第４９２０９９１号では、温度変化に応じて、目立つ表面色に変わりやすい熱変色性材料を含む、熱変色性人工爪が開示されている。
【０００７】
【発明が解決しようとする課題】
上で記載された各引用例は、異なる構造及び組み合わせを開示して、装飾用の指爪付属品を提供している。従って、本発明は、唯一の装飾を特徴とする装飾用の指爪付属品を提供することを目的とする。本発明は、さらに、キットと、使用者に指爪付属品を所望に装飾させる方法と、を提供することを目的とする。
【０００８】
【課題を解決するための手段】
本発明は、指爪用の装飾付属品であって、且つその装飾付属品を製造するための方法及びキットである。付属品は、全体的に、上張りと、カバーと、少なくとも１つの装飾要素と、を有する。上張りは、上面と、下面と、第１端と、第２端と、を有する。第１端の形状及び寸法は、ほぼ使用者の指爪又は足指爪の少なくとも端の形状及び寸法である。上面は、少なくとも１つの装飾要素を受け入れるために形成された凹部を有する。カバーは、凹部の上で上張りの上面に固定され、密閉ポケットを形成し、１つ又は２つ以上の装飾要素を受け入れる。
【０００９】
好ましくは、カバーは、装飾要素が上張りの上面から見えるように透明である。装飾要素は、金属粉、光沢材、色紙片、天然宝石、人工宝石又はそれらの組み合わせであっても良いし、好ましくは、上張りのポケットの範囲内で自由に移動できる。
【００１０】
変形実施形態では、上張りは、凹部とは異なって上面に形成された隆起装飾部分を有する。好ましくは、隆起装飾部分は模様面を有する。
【００１１】
本発明による指爪又は足指爪を装飾する方法は、凹部を有する上張りを使用者の生指爪又は生足指爪に取り付ける段階と、少なくとも１つの装飾要素を凹部内に挿入する段階と、カバーを凹部の上で上張りの上面に接着して、密閉ポケットを上張りに形成し、装飾要素を密閉ポケットに収容する段階と、を含む。
【００１２】
本発明は、指爪又は足指爪を装飾するためのキットとして提供されるのが良い。キットは、一揃いの上張り、装飾要素、及びカバー、を含む。上張りは、使用者の生指爪又は生足指爪に取り付けられるような種々の形状及び寸法である。各々の上張りは、１つ又は２つ以上の選択された装飾要素を受け入れるために、上張り上面に形成された凹部を有する。カバーは、凹部の上で上張り上面に接着され、装飾要素を収容するための密閉ポケットを構成するように形成され、寸法決めされる。かくして、使用者は、装飾用の指爪付属品を所望に作ることができる。
【００１３】
本発明をより理解するために、下記の記述、添付図面を参照して、本発明の範囲を添付クレームに示す。
【００１４】
【発明の実施の形態】
図１及び図２を参照すると、本発明により構成された装飾付属品１０を示す。装飾付属品１０は、一般的には、凹部２２を形成した上張り１０と、密閉ポケットを形成するように凹部の上に固定されるカバー２６と、ポケットに収容される１つ又は２つ以上の装飾挿入物２４と、を有する。
【００１５】
上張り１０は、在来の射出成形技術を使用して作られ、そして周知の人工指爪材料で作られるのが良い。好ましくは、上張り１０は、アクリロニトリルブタジエンスチレン（ＡＢＳ）プラスチックとポリカーボネートとの混合物で作られている。上張り１２は、上面１４と、下面１６と、第１端１８と、第１端１８に対して遠位である第２端２０と、を含む。第１端１８の形状及び寸法は、ほぼ、使用者の指爪又は足指爪の少なくとも端の形状及び寸法である。例えば、指爪チップの場合、第１端１８の寸法形状は、ほぼ使用者の指爪の端のみの形状及び寸法である。指爪全体のカバーの場合、第１端１８の形状及び寸法は、ほぼ生指爪全体の形状及び寸法である。
【００１６】
上張り１２は、上張り上面１４に形成された凹部２２を有する。凹部２２は、上張り１２の形成中に形成されても良いし、在来の機械加工又は切削技術を使用して、後で設けられても良い。好ましい実施形態では、凹部２２は上張り１２の第２端２０に隣接する。凹部２２は、図２ａに示すように、上面１４から上張り１２の所望な深さまで延びても良いし、或いは、上面１４から下面１６まで上張り１２を貫いて延びても良い。
【００１７】
少なくとも１つの装飾要素２４が、凹部２２内に置かれる。装飾要素２４は、凹部２２内に合うように寸法決めされた美的価値ある材料であるのが良い。好ましい材料は、金属粉、光沢材、色紙片、天然宝石、人工宝石を含む。
【００１８】
カバー２６が、凹部２２上で上張り１２の上面１４に固定されて、装飾要素２４を収容する密閉ポケットを形成する。凹部２２が上張りの下面１６まで延びる場合、上張りの下面１６に固定される第２カバー３６が必要となる。いずれの場合も、装飾要素２４は、好ましくは、凹部及びカバー２６によって、或いはカバー２６，３６によって、形成されたポケット内で自由に移動できる。好ましくは、少なくとも上部カバー２６は、装飾要素２４が上張り１２の上面１４からカバー２６を通して容易に見えるように、薄い透明材料で作られる。好ましくは、カバー２６，３６はまた、カバーを上張りに固定するのを容易にするために、カバーの周囲に沿って圧感接着剤を備える。変形例として、組立て時にカバー及び又は上張りに接着剤を塗っても良い。かくして、カバー２６，３６を上張り１２に永久に固着しても良いし、或いは使用者が後でカバー２６を取り外して、異なる装飾要素２４を凹部２２内に置けるように、カバー２６，３６を上張り１２に一時的に取り付けても良い。
【００１９】
本発明の変形実施形態を図３及び図４に示す。変形実施形態では、装飾付属品５０は、上述のように、上面５４と、下面５６と、第１端５８と、第２端６０と、を有する、上張り５２で作られる。しかしながら、上張り５２の上面５４には、凹部とは異なって、隆起装飾部分６２が形成されている。隆起装飾部分６２は、上張り５２の成形中に形成され、いかなる装飾形状又は寸法のものであるのがよい。好ましくは、隆起装飾部分６２は、さらに美的価値を加えるため、上張りの平滑な上面とは異なって模様面を有する。このことは、上張りを形成するのに使用される金型のキャビティ面に、相応する模様を設けることによって成し遂げられる。
【００２０】
図５に示すように、本発明の装飾付属品は、使用者が装飾付属品の所望な配置を設計して組み立てる、キット１００の一部として提供されるのが良い。キット１００は一般に、収納箱１０２に収容される、一揃いの上張り１０６、カバー１０８、及び装飾要素１１０を含む。収納箱１０２は、多数の３方側区画室１０４と、すべてのキット構成部品を収容するために閉鎖位置に固定されるふた１１２とで作られる。
【００２１】
キット１００は、使用者の生指爪又は生足指爪に取り付けられるように寸法決めされ且つ形成される、一揃いの異なる大きさの上張り１０６の取合せを含む。各上張り１０６は、又、上述のように、その上面に形成された凹部を有する。キット１００は、一揃いの異なる大きさのカバー１０８を含み、このカバー１０８は、上張り１０６の対応する大きさの凹部をおおうのに使用される。キット１００は、上張り１０６の凹部内に置かれ、次いで、使用者によって、カバー１０８でおおわれる一揃いの装飾要素１１０をさらに含む。キットは、金属粉、光沢材、色紙片、天然宝石及び人工宝石のような、いかなるタイプの装飾要素１１０を含んでも良いことが想像される。
【００２２】
使用時に、使用者はまず、上張りを付ける指爪又は足指爪に寸法が近い上張り１０６を選択する。使用者は、次いで、１つ又は２つ以上の所望な装飾要素１１０、或いは装飾要素１１０の組み合わせを選択し、装飾要素１１０を上張りの凹部内に置く。装飾要素１１０を凹部内に置いた後、対応する大きさのカバー１０８を選択し且つ凹部の上で上張り１０６の上面に固定し、それによって、装飾要素を凹部内に収容する。再び、好ましくは、カバーは、カバーの上張りへの取付けを容易にする感圧性接着剤を備える。変形例として、キット１００は、使用者が付属品を組み立てるときに塗る接着剤の小さな容器を有しても良い。いったん付属品を組み立てると、周知技術を利用して、上張り１０６を生爪に取り付ける。その結果、使用者は、生爪について、かなりの数の所望な装飾配置を作ることができ、所望に配置を取り外して、取り替えることができる。
【００２３】
本発明の好ましい実施形態であると現時点で考えられているものを説明したが、当業者は、本発明の精神から逸脱することなく種々の変更及び変形が発明に対してなしうることを理解するであろうし、本発明は、発明の範囲内に属するあらゆる変更例及び修正例を請求するものである。
【図面の簡単な説明】
【図１】本発明により構成された装飾用指爪付属品の分解斜視図である。
【図２ａ】図１の線２−２による装飾用指爪付属品の断面図である。
【図２ｂ】図１の線２−２による装飾用指爪付属品の他の変形実施形態の断面図である。
【図３】本発明により構成された装飾用指爪付属品の他の変形実施形態の斜視図である。
【図４】図３の線４−４による装飾用指爪付属品の断面図である。
【図５】本発明により構成された指爪を装飾するためのキットの斜視図である。
【符号の説明】
１０，５０    装飾付属品
１２，５２，１０６    上張り
１４，５４    上面
１６，５６    下面
１８，５８    第１端
２０，６０    第２端
２２    凹部
２４，１１０    装飾要素
２６，３６，１０８    カバー
６２    隆起装飾部分
１００    キット
１０２    収納箱
１０４    区画室
１１２    ふた
【図１】
0004614580.tif 000002
【図２ａ】
0004614580.tif 000003
【図２ｂ】
0004614580.tif 000004
【図３】
0004614580.tif 000005
【図４】
0004614580.tif 000006
【図５】
0004614580.tif 000007